(57)【要約】　　　（修正有）【課題】安定したしたレンズバリアの開閉動作可能なカメラを提供すること。【解決手段】撮影レンズを有し、沈胴位置と撮影可能位置との間で光軸方向に進退移動するレンズ鏡胴２と、前記撮影レンズの前方に配置された該撮影レンズに対し開閉可能なレンズバリア３２と、前記レンズバリア３２の開閉動作を行わせるバリア開閉手段と、前記レンズ鏡胴２の沈胴位置から撮影可能位置への移動に伴って、前記バリア開閉手段により前記レンズバリア３２を閉位置から開位置へ移動させ、且つ、前記レンズ鏡胴２の撮影可能位置から沈胴位置への移動に伴って、前記バリア開閉手段により前記レンズバリア３２を開位置から閉位置へ移動させるように構成されたバリア連動手段と、前記レンズバリア３２に対し、閉じ方向への付勢力を与えるよう付勢する第１付勢手段５とを備えた。【選択図】　　　　図１
2004109257.tif 000002
【特許請求の範囲】
【請求項１】
撮影レンズを有し、沈胴位置と撮影可能位置との間で光軸方向に進退移動するレンズ鏡胴と、
前記撮影レンズの前方に配置された該撮影レンズに対し開閉可能なレンズバリアと、
前記レンズバリアの開閉動作を行わせるバリア開閉手段と、
前記レンズ鏡胴の沈胴位置から撮影可能位置への移動に伴って、前記バリア開閉手段により前記レンズバリアを閉位置から開位置へ移動させ、且つ、前記レンズ鏡胴の撮影可能位置から沈胴位置への移動に伴って、前記バリア開閉手段により前記レンズバリアを開位置から閉位置へ移動させるように構成されたバリア連動手段と、
前記レンズ鏡胴が沈胴位置にあるときに、前記レンズバリアに対し、閉じ方向への付勢力を与えるよう付勢する第１付勢手段とを備え、
前記レンズ鏡胴が撮影可能位置にあるときは、前記レンズバリアは開き方向の付勢力を受けずに前記バリア連動手段によって作動されるバリア開閉手段のみによって開位置をとり得るように構成したことを特徴とするカメラ。
【請求項２】
前記レンズ鏡胴は、カメラ本体に対して回転しながら進退動作する回転筒を有し、前記バリア開閉手段は、前記撮影レンズの光軸回りに回動することによりレンズバリアを開閉動作させる回動リングと、前記回転筒と前記回動リングとの間に配設され、回転筒の回転位置に応じて作用することにより前記回動リングを回動させるカム機構とを有することを特徴とする請求項１記載のカメラ。
【請求項３】
前記カム機構は、前記回転筒の内周面に突出形成されたカムリブと、前記レンズ鏡胴の撮影可能位置への移動による回転筒の回転時に該カムリブと当接して回動することで、回転筒の回転位置に応じて前記回動リングを回転させるように作用させるカム部材とを有してなることを特徴とする請求項２記載のカメラ。
【請求項４】
前記バリア開閉手段は、レンズバリアを開状態とする際の前記回動リングの動作ストロークが、レンズバリアの閉状態から開状態への移動ストロークよりも大きく設定されると共に、レンズバリアを開状態とした際のオーバーストロークを吸収するオーバーストローク吸収手段を備えることを特徴とする請求項２又は３記載のカメラ。
【請求項５】
前記オーバーストローク吸収手段は、前記回動リングとレンズバリアとを連結する連結部材により構成され、該連結部材は、ねじりコイルばねからなることを特徴とする請求項４記載のカメラ。
【請求項６】
撮影レンズを有し、沈胴位置と撮影可能位置との間で光軸方向に進退移動するレンズ鏡胴と、
前記撮影レンズの前方に配置された該撮影レンズに対し開閉可能なレンズバリアと、
前記レンズバリアの開閉動作を行わせるバリア開閉手段と、
前記レンズ鏡胴の沈胴位置から撮影可能位置への移動に伴って、前記バリア開閉手段により前記レンズバリアを閉位置から開位置へ動作させ、且つ、前記レンズ鏡胴の撮影可能位置から沈胴位置への移動に伴って、前記バリア開閉手段により前記レンズバリアを開位置から閉位置へ移動させるように構成されたバリア連動手段と、
前記レンズバリアに対し、閉じ方向への付勢力を与えるよう付勢する第１付勢手段と、
前記レンズバリアに対し、前記第１付勢手段より小さい付勢力で開き方向への付勢力を与えるように付勢する第２付勢手段とを備え、
前記バリア連動手段による移動の結果、前記レンズ鏡胴が沈胴位置にあるときは、前記第１付勢手段の付勢力が、前記第２付勢手段による付勢力に抗して、前記レンズバリアは閉位置をとり得るようになし、
前記レンズ鏡胴が撮影可能位置にあるときは、前記レンズバリアは前記第２付勢手段の付勢力のみによって開位置をとり得るように構成したことを特徴とするカメラ。
【請求項７】
前記レンズ鏡胴は、カメラ本体に対して回転しながら進退動作する回転筒を有し、前記バリア開閉手段は、前記撮影レンズの光軸回りに回動することによりレンズバリアを開閉動作させる回動リングと、前記回転筒と前記回動リングとの間に配設され、回転筒の回転位置に応じて作用することにより前記回動リングを回動させるカム機構とを有することを特徴とする請求項６記載のカメラ。
【請求項８】
前記カム機構は、前記回転筒の内周面に突出形成されたカムリブと、前記レンズ鏡胴の撮影可能位置への移動による回転筒の回転時に該カムリブと当接して回動することで、回転筒の回転位置に応じて前記回動リングを回転させるように作用させるカム部材とを有してなることを特徴とする請求項７記載のカメラ。
【発明の詳細な説明】
【０００１】
【発明の属する技術分野】
本発明は、撮影レンズの前方にレンズバリアをレンズ鏡胴の進退動作に伴って開閉可能に配置したカメラに関する。
【０００２】
【従来の技術】
従来、撮影レンズを収容したレンズ鏡胴をカメラ本体から進退動作させるようにしたカメラでは、撮影レンズの前方にレンズバリアを備え、レンズ鏡胴がカメラ本体内に収納されて撮影を行わない沈胴位置にある時に撮影レンズ前面を閉鎖し、レンズ鏡胴が沈胴位置からカメラ本体から突出した撮影可能位置に移動する過程で撮影レンズ前面を開放するようにしている。
【０００３】
図９は、従来のバリア開閉機構を示す図であり、レンズ鏡胴を正面側から見た状態を示している（特許文献１の図１）。同図に示すように、２枚のレンズバリア５００は、それぞれバリア枠５０１から立設する軸５０２に回動可能に軸支されており、ねじりコイルばね５０３により図示時計方向に付勢されている。更に、バリア枠５０１から立設するガイドピン５０４に案内されて回動可能に回動リング５０５が設けられており、バリア枠５０１に設けたばね掛け５０６に掛けた圧縮ばね５０７が回動リング５０５の突部５０５ａの一方の側部を圧接することにより、回動リング５０５を図示時計方向に付勢すると共に、ばね掛け５０６がストッパーとなって、図示する状態で停止している。また、突部５０５ａの他方の側部は、レンズバリア５００に立設したピン５０８を押圧しており、ここでは圧縮ばね５０７はねじりコイルばね５０３よりも付勢力が強く設定されているため、レンズバリア５００は図示の状態から時計方向には回動できず、開状態を維持している。このとき、レンズ鏡胴は撮影可能位置まで繰り出されている。
【０００４】
この状態からレンズ鏡胴を沈胴位置まで後退させると、回動リング５０５は図示しない手段により、圧縮ばね５０７の付勢力に抗して図示反時計方向に回動する。この回動リング５０５の反時計方向の回動により、突部５０５ａも反時計方向に退避するため、ピン５０８の押圧は解除され、これにより各レンズバリア５００はねじりコイルばね５０３の付勢力によって時計方向に回転し、互いに開口部５００ａが当接して閉状態とされる。
【０００５】
ところで、カメラにとっては、レンズ鏡胴が撮影可能位置まで繰り出されている作動状態よりも沈胴位置にあるカメラの非使用状態の時間が圧倒的に長い。この従来のバリア開閉機構では、各レンズバリア５００をねじりコイルばね５０３の付勢力によって常時閉方向に付勢することで、圧縮ばね５０７の付勢力を絶った非使用時にレンズバリア５００の閉状態を維持するようにし、このねじりコイルばね５０３よりも付勢力の強い圧縮ばね５０７が回動リング５０５を介してレンズバリア５００を開方向に常時付勢することで、レンズバリア５００の開状態を維持するように構成されているため、レンズ鏡胴が沈胴位置にある時間の方が圧倒的に長いにもかかわらず、この沈胴位置にある時に圧縮ばね５０７の付勢力に対する抗力を常時与えており、その結果、ばねの寿命が早まってしまい、レンズバリアの開閉動作が安定して行えなくなる不具合が生じる問題があった。
【０００６】
しかも、レンズバリア５００の閉状態及び開状態を維持するために、それぞれねじりコイルばね５０３及び圧縮ばね５０７を用いているため、部品点数が多くなり、組み付け作業の煩雑化を招くと共に、コスト高となる問題もあった。
【０００７】
そこで、従来では、レンズバリアを付勢するためのばねを一切用いることなく開閉動作させるようにした技術が提案されている（特許文献１）。
【０００８】
これを図１０及び図１１に示す。図１０はレンズ鏡胴の縦断面図であり、（ａ）は沈胴位置の状態、（ｂ）は撮影可能位置から更に繰り出された状態をそれぞれ示し、図１１はバリアを開閉させるためのカム構造の様子を示している。
【０００９】
後筒６００には、内部にシャッタ及び撮影レンズ６０１が設けられ、該後筒６００内を回転することなく進退動作する前筒６０２と、同じく後筒６００の進退動作に伴って回転することなく進退動作する直進部材６０３が配設されている。この直進部材６０３は、駆動部６０３ａが前筒６０２内を光軸に沿って延び、その先端にカム溝６０３ｂが形成されており、前筒６０２内に光軸に沿って形成された挿通穴６０２ａに挿通されている。また、前筒６０２の前端部には、２枚のレンズバリア６０４ａを開閉可能に保持するバリア機構６０４が配設されている。
【００１０】
このバリア機構６０４には、その回転動作によって上記レンズバリア６０４ａを開閉動作させる回動リング６０４ｂが配設されており、該回動リング６０４ｂには、上記直進部材６０３の駆動部６０３ａに形成されたカム溝６０３ｂと係合するカムピン６０４ｃが突設されている。
【００１１】
図１０（ａ）に示すようにレンズ鏡胴が沈胴位置にある時、回動リング６０４ｂのカムピン６０４ｃが駆動部６０３ａのカム溝６０３ｂと係合することにより、レンズバリア６０４ａは閉方向に保持されており、この状態からレンズ鏡胴が撮影可能位置まで繰り出され、前筒６０２が後筒６００内を前進すると、回動リング６０４ｂはそのカムピン６０４ｃがカム溝６０３ｂの先端側へ前進し、該カム溝６０３ｂに案内されて回動する。すると、この回動リング６０４ｂの回動と連動するレンズバリア６０４ａが開く。ズーミング操作がなされることにより前筒６０２が更に繰り出されると、図１０（ｂ）に示すように、回動リング６０４ｂのカムピン６０４ｃは駆動部６０３ａのカム溝６０３ｂから外れ、両者の係合関係が絶たれるが、回動リング６０４ｂは図示しない保持手段によって回動位置が保持され、レンズバリア６０４ａの開状態は維持される。
【００１２】
この従来技術では、直進部材６０３の駆動部６０３ａに形成したカム溝６０３ｂと回動リング６０４ｂのカムピン６０４ｃとにより構成されるカム機構により、直進部材６０３の直進運動を回動リング６０４ｂの回転運動に変換することで、ばねの付勢力を利用することなくレンズバリア６０４ａの開閉動作及び開閉状態の維持を行うことができるように構成されているが、図１０（ｂ）に示すように、ズーミング操作により前筒６０２が大きく前進した状態では、直進部材６０３の駆動部６０３ａは回動リング６０４ｂのカムピン６０４ｃから外れて挿通穴６０２ａから大きく後退するため、開状態とされたレンズバリア６０４ａを通過した光が上記挿通穴６０２ａからレンズ鏡胴内に侵入する問題があった。
【００１３】
【特許文献１】特開平１１−１５０４３号公報
【００１４】
【発明が解決しようとする課題】
そこで、本発明の課題は、長期に亘って安定したレンズバリアの開閉動作を行うことができるカメラを提供することを課題とする。
【００１５】
また、本発明の他の課題は、外部からの光漏れに強く、且つ長期に亘って安定したレンズバリアの開閉動作を行うことができるカメラを提供することを課題とする。
【００１６】
【課題を解決するための手段】
上記課題は以下の各発明によって解決される。
【００１７】
１．撮影レンズを有し、沈胴位置と撮影可能位置との間で光軸方向に進退移動するレンズ鏡胴と、前記撮影レンズの前方に配置された該撮影レンズに対し開閉可能なレンズバリアと、前記レンズバリアの開閉動作を行わせるバリア開閉手段と、前記レンズ鏡胴の沈胴位置から撮影可能位置への移動に伴って、前記バリア開閉手段により前記レンズバリアを閉位置から開位置へ移動させ、且つ、前記レンズ鏡胴の撮影可能位置から沈胴位置への移動に伴って、前記バリア開閉手段により前記レンズバリアを開位置から閉位置へ移動させるように構成されたバリア連動手段と、前記レンズ鏡胴が沈胴位置にあるときに、前記レンズバリアに対し、閉じ方向への付勢力を与えるよう付勢する第１付勢手段とを備え、前記レンズ鏡胴が撮影可能位置にあるときは、前記レンズバリアは開き方向の付勢力を受けずに前記バリア連動手段によって作動されるバリア開閉手段のみによって開位置をとり得るように構成したことを特徴とするカメラ。
【００１８】
２．前記レンズ鏡胴は、カメラ本体に対して回転しながら進退動作する回転筒を有し、前記バリア開閉手段は、前記撮影レンズの光軸回りに回動することによりレンズバリアを開閉動作させる回動リングと、前記回転筒と前記回動リングとの間に配設され、回転筒の回転位置に応じて作用することにより前記回動リングを回動させるカム機構とを有することを特徴とする１記載のカメラ。
【００１９】
３．前記カム機構は、前記回転筒の内周面に突出形成されたカムリブと、前記レンズ鏡胴の撮影可能位置への移動による回転筒の回転時に該カムリブと当接して回動することで、回転筒の回転位置に応じて前記回動リングを回転させるように作用させるカム部材とを有してなることを特徴とする２記載のカメラ。
【００２０】
４．前記バリア開閉手段は、レンズバリアを開状態とする際の前記回動リングの動作ストロークが、レンズバリアの閉状態から開状態への移動ストロークよりも大きく設定されると共に、レンズバリアを開状態とした際のオーバーストロークを吸収するオーバーストローク吸収手段を備えることを特徴とする２又は３記載のカメラ。
【００２１】
５．前記オーバーストローク吸収手段は、前記回動リングとレンズバリアとを連結する連結部材により構成され、該連結部材は、ねじりコイルばねからなることを特徴とする４記載のカメラ。
【００２２】
６．撮影レンズを有し、沈胴位置と撮影可能位置との間で光軸方向に進退移動するレンズ鏡胴と、前記撮影レンズの前方に配置された該撮影レンズに対し開閉可能なレンズバリアと、前記レンズバリアの開閉動作を行わせるバリア開閉手段と、前記レンズ鏡胴の沈胴位置から撮影可能位置への移動に伴って、前記バリア開閉手段により前記レンズバリアを閉位置から開位置へ動作させ、且つ、前記レンズ鏡胴の撮影可能位置から沈胴位置への移動に伴って、前記バリア開閉手段により前記レンズバリアを開位置から閉位置へ移動させるように構成されたバリア連動手段と、前記レンズバリアに対し、閉じ方向への付勢力を与えるよう付勢する第１付勢手段と、前記レンズバリアに対し、前記第１付勢手段より小さい付勢力で開き方向への付勢力を与えるように付勢する第２付勢手段とを備え、前記バリア連動手段による移動の結果、前記レンズ鏡胴が沈胴位置にあるときは、前記第１付勢手段の付勢力が、前記第２付勢手段による付勢力に抗して、前記レンズバリアは閉位置をとり得るようになし、前記レンズ鏡胴が撮影可能位置にあるときは、前記レンズバリアは前記第２付勢手段の付勢力のみによって開位置をとり得るように構成したことを特徴とするカメラ。
【００２３】
７．前記レンズ鏡胴は、カメラ本体に対して回転しながら進退動作する回転筒を有し、前記バリア開閉手段は、前記撮影レンズの光軸回りに回動することによりレンズバリアを開閉動作させる回動リングと、前記回転筒と前記回動リングとの間に配設され、回転筒の回転位置に応じて作用することにより前記回動リングを回動させるカム機構とを有することを特徴とする６記載のカメラ。
【００２４】
８．前記カム機構は、前記回転筒の内周面に突出形成されたカムリブと、前記レンズ鏡胴の撮影可能位置への移動による回転筒の回転時に該カムリブと当接して回動することで、回転筒の回転位置に応じて前記回動リングを回転させるように作用させるカム部材とを有してなることを特徴とする７記載のカメラ。
【００２５】
【発明の実施の形態】
以下、本発明の実施の形態について図面に基づいて説明する。
【００２６】
図１は、本発明に係るカメラの主要部の分解斜視図である。同図において、１はカメラ本体（図示せず）に固定された固定筒であり、内周面にオスヘリコイド１１が設けられると共に、後述するレンズ鏡胴２内に収容された撮影レンズの光軸に沿って延びる直線状の４本の回転規制溝１２が凹設されている。
【００２７】
２はレンズ鏡胴であり、このレンズ鏡胴２は、回転筒２１とこの回転筒２１内に配置された直進筒２２とを有している。回転筒２１は、後端側（固定筒１側）の外周面にギヤ２１１が刻設されると共に、該ギヤ２１１の刻設部位に、上記固定筒１のオスヘリコイド１１と係合するメスヘリコイド２１２が設けられている。
【００２８】
一方、直進筒２２は内部に撮影レンズ及びシャッタ（いずれも図示せず）が設けられ、回転筒２１内に収容されており、該回転筒２１に対して撮影レンズの光軸回りに回転可能で且つ光軸方向に移動不能とされている。また、直進筒２２の後端部には、回転筒２１の後端部からその径方向に突出し、上記固定筒１内周面の回転規制溝１２に係合する４本の回転規制リブ２２１が突設されており、この回転規制リブ２２１を固定筒１内周面の回転規制溝１２に係合させると共に、回転筒２１外周面のメスヘリコイド２１２を固定筒１内周面のオスヘリコイド１１と係合させることにより、レンズ鏡胴２が固定筒１内に装着される。
【００２９】
固定筒１内には、レンズ鏡胴２の回転筒２１に設けられたギヤ２１１と噛合する駆動ギヤ列１３が配設されており、図示しない駆動モータにより駆動ギヤ列１３が回転駆動することで、その駆動力が固定筒１内に装着されたレンズ鏡胴２の回転筒２１のギヤ２１１に伝達され、該回転筒２１を回転させるように構成されている。回転筒２１が回転すると、回転筒２１はその外周面のメスヘリコイド２１１が固定筒１のオスヘリコイド１１と係合していることにより、固定筒１内を回転しながら撮影レンズの光軸に沿って前後に進退動作する。このとき、回転筒２１内の直進筒２２は、回転筒２１の進退動作に伴って進退するが、回転規制リブ２２１が固定筒１０内の回転規制溝１２と係合していることにより、回転することなく回転筒２１と共に進退動作する。
【００３０】
レンズ鏡胴２において、回転筒２１は直進筒２２の前端面２２２よりも前方に突出しており、直進筒２２の前端面２２２と回転筒２１の前端部との間にレンズバリア部組３及び後述するバリア開閉手段が配設される。
【００３１】
図２はレンズバリア部組３の分解斜視図である。同図に示すように、レンズバリア部組３は、前枠３１、レンズバリア３２、バリア押え３３とを有して構成されている。
【００３２】
前枠３１にはその後端側、即ち直進筒２２の前端面２２２に向けて突出する２本の固定ピン３１１が突設されている。各固定ピン３１１にはそれぞれレンズバリア３２に開設された軸穴３２１が回転可能に嵌合することで、この固定ピン３１１を軸として２枚のレンズバリア３２を閉状態と開状態との間で回転可能としており、このレンズバリア３２を間に挟むようにしてリング状のバリア押え３３が取り付けられている。
【００３３】
バリア押え３３には、前枠３１に突設された２本の固定ピン３１１を挿通させる２つの開口３３１が設けられており、固定ピン３１１をそれぞれ開口３３１に挿通させた状態で、外周に設けられた引っ掛け穴３３２が、前枠３１の外周に設けられた引っ掛け爪３１２にそれぞれ係合することにより一体に取り付けられている。
【００３４】
図２において、３４は後述する回動リング４とレンズバリア３２とを連結する連結部材であり、ねじりコイルばねによって構成されている。この連結部材３４は、前枠３１の各固定ピン３１１近傍にそれぞれ突設されたボス３１３に軸部３４１が回転可能に嵌合し、それぞれの一方のばね端部３４２がレンズバリア３２の端部に形成された駆動穴３２２に嵌合すると共に、他方のばね端部３４３がバリア押え３３に開設された長穴３３３からバリア部組３の後方側に突出している。
【００３５】
このようにして構成されたバリア部組３は、各固定ピン３１１が、直進筒２２の前端面２２２に形成された２つの嵌入穴２２４に嵌入し、図示しないビス等の固定具によりレンズ鏡胴２の前端側に固定されるが、図１に示すように、このバリア部組３とレンズ鏡胴２の直進筒２２との間には回動リング４が配設される。この回動リング４は本発明におけるバリア開閉手段の一構成要素である。
【００３６】
回動リング４は、バリア部組３の後方側に突出する２本の固定ピン３１１を挿通させると共に回動リング４の周方向に沿って延びる２つの長穴４１が左右対称状に形成されている。これら長穴４１の長さ方向に沿って固定ピン３１１が移動することで、回動リング４は撮影レンズの光軸回りに回動可能とされると共に、その長穴４１の長さによってその回動角度が規制されるようになっている。また、回動リング４の内側には２つの引っ掛け爪４２が設けられており、この各引っ掛け爪４２とレンズ鏡胴２の直進筒２２の前端面２２２から突出する２つの引っ掛け部２２３とに亘って、それぞれ第１付勢手段としての付勢ばね５が掛け渡され、この各付勢ばね５の付勢力により、回動リング４を常時図示反時計方向に付勢している。
【００３７】
この回動リング４には、バリア部組３の後方側に突出する各連結部材３４の他方のばね端部３４３が嵌入して係合する２つの溝４３が、上記各長穴４１よりも若干図示時計方向にずれた位置において、該回動リング４の内側から外側に向けて径方向に凹設されている。各溝４３には、各連結部材３４の他方のばね端部３４３がそれぞれ嵌入して係合することにより、各付勢ばね５の付勢力を回動リング４を介して各連結部材３４に作用させ、この作用により、更に各連結部材３４を軸部３４１を中心にして図示反時計方向に回動させることによって、その一方のばね端部３４２が嵌合している各レンズバリア３２の駆動穴３２２を、固定ピン３１１を中心にして図示反時計方向に回動させ、各レンズバリア３２を互いに突き合せるように付勢させることで閉状態を維持するように構成される。
【００３８】
バリア部組３の後方側に突出する一方（図２における左側）の固定ピン３１１にはカム部材６が回転可能に嵌合し、回動リング４と直進筒２２の前端面２２２との間に配置されている。このカム部材６も本発明におけるバリア開閉手段の一構成要素である。このカム部材６の表面には、上記固定ピン３１１よりもレンズ鏡胴２の中心側に寄った位置に、バリア部組３側に向けて突出するカムピン６１が設けられており、このカムピン６１は、回動リング４において該カム部材６が嵌合している側の固定ピン３１１を挿通させている図示左側の長穴４１の内側に形成された切欠溝４４と係合している。
【００３９】
レンズ鏡胴２における回転筒２１の前端側の内周面には、本発明におけるバリア開閉手段の一構成要素であるカムリブ２１３が一定高さで突出形成されている。このカムリブ２１３は、レンズバリア３２が閉状態にある時の回動リング４のカム部材６が配置されている長穴４１近傍において一部途切れており、該部にカムリブ２１３が突出していない途切れ部２１４が形成されている。カム部材６は、固定ピン３１１を挟んで上記カムピン６１と対向する位置にあるカム端部６２がこの途切れ部２１４において回転筒２２の内周面と当接する程度の突出量をもって固定ピン３１１から突出しており、従って、回転筒２１が図示反時計方向に回転すると、途切れ部２１４に臨むカムリブ２１３の端部２１３ａがカム部材６のカム端部６２に突き当たり、更にカム部材６を固定ピン３１１を中心にして図示反時計方向に回動させるようになっている。
【００４０】
以上のように、本実施形態におけるバリア開閉手段は、上記回動リング４、カム部材６及びカムリブ２１３によって構成され、以上のように回転筒２１の回転による作動を、一定高さで突出しているカムリブ２１３がカム部材６を一定角度回動させることにより一定量に変換し、レンズバリア３２に伝達するカム機構により構成されている。また、本実施形態において、回転筒２１は、レンズ鏡胴２の沈胴位置と撮影可能位置との間の移動に伴って、レンズバリア３２を開閉移動させるバリア連動手段を構成している。
【００４１】
次に、図３〜図６を用いてレンズバリア３２の開閉動作について説明する。図３、図５はレンズバリア３２の状態を示す正面図、図４、図６は回動リング４の状態を示す正面図であり、図３、図４はレンズバリア３２が閉状態の場合を、図５、図６は開状態の場合を示している。
【００４２】
まず、レンズ鏡胴２がカメラ本体内に最も後退した沈胴位置において、回転筒２１の内周面に形成されたカムリブ２１３の途切れ部２１４は、図４に示すように、カム部材６の配設部位に位置し、回動リング４に設けられた各付勢ばね５の付勢力により、該回動リング４が各長穴４１にガイドされて図示反時計方向に回動していることで、切欠溝４４に係合しているカムピン６１によって、カム部材６を固定ピン３１１を中心にして図示時計方向に回動させ、カム部材６のカム端部６２をカムリブ２１３の途切れ部２１４に位置する回転筒２１の内周面に当接させている。
【００４３】
この状態はカメラの非使用状態であり、この状態でレンズバリア３２には、各付勢ばね５により回動リング４が図示反時計方向に付勢されていることで、各連結部材３４を介してその付勢力が作用しており、閉状態が維持されている。このレンズバリア３２が閉状態のとき、各付勢ばね５にはその付勢力に抗する力は何ら作用していない。
【００４４】
この状態から、カメラのメインスイッチをＯＮにすると、駆動ギヤ列１３の回転駆動によって、レンズ鏡胴２は沈胴位置から撮影可能位置まで繰り出される。この繰り出し動作により、回転筒２１は外周面のメスヘリコイド２１２が固定筒１内周面のオスヘリコイド１１と係合することにより図示反時計方向に回動するが、直進筒２２は回動しないため、これによりカムリブ２１３の端部２１３ａがカム部材６のカム端部６２と当接し、該カム端部６２を押すことにより、カム部材６を固定ピン３１１を中心にして反時計方向に回動させる。
【００４５】
このカム部材６の反時計方向の回動により、カムピン６１が回動リング４を各付勢ばね５の付勢力に抗して図６に示すように図示時計方向に回動させ、一方のばね端部３４３が回動リング４の各溝４３に嵌合している連結部材３４を、その軸部３４１を中心にしてそれぞれ反時計方向に回動させ、他方のばね端部３４２によりレンズバリア３２の駆動穴３２２を各固定ピン３１１を中心にしてそれぞれ時計方向に引っ張り、これにより各レンズバリア３２は、図５に示すように開状態とされる。このレンズバリア３２の開状態は、カム部材６が図示反時計方向に回動された状態がカムリブ２１３によって保持されることで維持されるため、開状態を維持するための付勢部材の必要はない。
【００４６】
本発明では、このようにレンズ鏡胴２が撮影可能位置まで繰り出され、レンズバリア３２が開状態とされた時に、初めて付勢ばね５にはその付勢力に抗する力が作用する。この状態は、カメラの非使用状態に比べて圧倒的に短い時間であるため、付勢ばね５に与える負担が少なくてすみ、付勢ばね５の長寿命化を図ることができる。これにより長期に亘って安定したレンズバリア３２の開閉動作が可能である。
【００４７】
また、本実施形態に示すバリア開閉手段のように、回転筒２１内周面に一定高さで突出形成されたカムリブ２１３によってカム部材６を回動させることによりレンズバリア３２を開閉するようにすれば、従来のようにレンズ鏡胴内に光軸に沿って直進部材が配設される穴を開設する必要がなくなり、光漏れに強い構造とすることができる。しかも、カムリブ２１３は回転筒２１の内周面に突出形成されるため、該カムリブ２１３によって回転筒２１とバリア部組３との間から侵入しようとする光を阻止する作用が働き、より光漏れに強い構造とすることができる。
【００４８】
更に、本実施形態に示すように、回転筒２１内周面のカムリブ２１３によってカム部材６を回動させることにより、レンズバリア３２を開閉するようにしていることで、レンズ鏡胴２の沈胴位置から繰り出し位置までのストロークを回転筒２１の内周面に亘って大きく取ることができるため、開閉ポイントの設定に余裕を持たせることができる。
【００４９】
なお、カムリブ２１３によってカム部材６を介して図示時計方向に回転する回動リング４の回転ストローク、即ちレンズバリア３２を開状態とするための開動作ストロークは、レンズバリア３２を確実に開状態とし、その開状態をガタつきなく安定して維持するために、図３の閉状態から図５の開状態へ移動する際のレンズバリア３２の移動ストロークよりも大きく設定されている。従って、レンズバリア３２には、回動リング４を図示時計方向に回動させた際に、その開動作ストロークのオーバーストロークが掛かるが、回動リング４とレンズバリア３２とを連結している連結部材３４は、ねじりコイルばねにより構成されているため、この連結部材３４はオーバーストローク吸収手段として作用し、上記のオーバーストロークをこの連結部材３４により吸収することができる。このため、レンズバリア３２や回動リング４等にオーバーストロークによる負担を掛けることがない。
【００５０】
本実施形態においては、レンズバリア３４は第１付勢手段としての付勢ばね５の付勢力の作用により常時閉方向に付勢されているため、レンズバリア３２の閉方向のガタつき等は、この付勢ばね５の付勢力によって解消することができる。従って、オーバーストローク吸収手段は、レンズバリア３２の開方向のみを考慮すればよく、上記のようにねじりコイルばねからなる連結部材３４を用いるだけで済み、オーバーストロークを吸収するための構成は極めて簡素化できる。
【００５１】
図７、図８は、本発明に係るカメラの他の実施形態を示しており、上記で説明した実施形態に示すカメラとは、レンズバリアを開閉動作させる構成において異なっている。その他の構成については上記で説明した実施形態と同一であるため省略する。なお、図７はレンズバリア３２が閉状態の場合を、図８は開状態の場合をそれぞれ示しており、上記実施形態と同一構成については同一符号を付してある。
【００５２】
このレンズバリア３２には、それぞれバリア部組３の内壁との間に亘って、引っ張りばねからなる第２付勢手段としての付勢ばね７が掛け渡されており、各レンズバリア３２をその軸穴３２１を中心にして図示時計方向に回動させることで、レンズバリア３２を開き方向に常時付勢している。この付勢ばね７の付勢力は、回動リング４に設けられた第１付勢手段としての付勢ばね５のそれに比べて小さく設定されており、レンズバリア３２に第１付勢手段としての付勢ばね５の付勢力と第２付勢手段としての付勢ばね７の付勢力とが同時に作用する場合には、第１付勢手段としての付勢ばね５の付勢力が勝り、この付勢ばね５が回動リング４を図示反時計方向に回動させることで、上述したように各レンズバリア３２は閉状態が維持されるようになっている。
【００５３】
各レンズバリア３２と回動リング４との間にはそれぞれ連結部材３５が配設されており、図７、図８においては示されていないレンズ部組３の前枠３１に突設されたボス３１３に、この連結部材３５の軸部３５１がそれぞれ回転可能に嵌合している。各連結部材３５には２つの操作レバー３５２、３５３が突設されており、その一方の操作レバー３５２は、レンズバリア３２の駆動穴３２２に嵌合すると共に、他方の操作レバー３５３は、図７、図８においては示されていないバリア押え３３に開設された長穴３３３からバリア部組３の後方側に突出し、回動リング４に形成された溝４５に嵌入することで、レンズバリア３２と回動リング４の両者と係合している。
【００５４】
なお、図８に示すように、回動リング４に形成された溝４５の幅Ｓ（回動リング４の周方向に沿う長さ）は、そこに嵌入している連結部材３５の他方の操作レバー３５３の移動ストロークＳ１よりも十分大きく設定されている。また、レンズバリア３２には第２付勢手段としての付勢ばね７の開き方向への付勢力が作用していることにより、このレンズバリア３２と係合している連結部材３５は、図示反時計方向に付勢され、その他方の操作レバー３５３は、図７に示すように回動リング４の溝４５内において時計方向側の側面に当接している。
【００５５】
この実施形態では、レンズ鏡胴２が沈胴位置にある時、上述したように第１付勢手段としての付勢ばね５の付勢力により、回動リング４は図示反時計方向に回動しており、図７に示すように、回動リング４の溝４５が、その時計方向側の側面に当接している連結部材３５の他方の操作レバー３５３を押圧することで、該連結部材３５を図示時計方向に回動させ、一方の操作レバー３５２が係合しているレンズバリア３２の駆動穴３２２を操作することにより、レンズバリア３２を閉じ方向に回転させる。このとき、レンズバリア３２には、第２付勢手段としての付勢ばね７の付勢力が開き方向に作用しているが、その付勢力は付勢ばね５のそれよりも小さいため、この付勢ばね７の付勢力に抗してレンズバリア３２は閉状態とされる。
【００５６】
また、レンズ鏡胴２が撮影可能位置まで繰り出されると、上述したように回動リング４は付勢ばね５の付勢力に抗して図示時計方向に回動する。この回動リング４に形成された溝４５の幅Ｓは、連結部材３５の他方の操作レバー３５３の移動ストロークＳ１よりも十分大きく設定されているため、レンズバリア３２が開状態の時の連結部材３５の操作レバー３５３と溝４５内の時計方向側の側面との間に間隙Ｓ２が形成されている。従って、回動リング４が図示時計方向に回動すると、図８に示すように、連結部材３５の他方の操作レバー３５３の溝４５による押圧は解除される。この状態では、連結部材３５及びレンズバリア３５には第１付勢手段としての付勢ばね５の付勢力は何ら作用していないため、レンズバリア３２には第２付勢手段としての付勢ばね７の付勢力のみが作用して開状態とされる。
【００５７】
この実施形態では、レンズバリア３２を開状態とするための第２付勢手段としての付勢ばね７の存在により、レンズ鏡胴２が撮影可能位置に繰り出された時には、確実にレンズバリア３２を開くことができる。このため、上述した場合のように、レンズバリア３２の開き方向にオーバーストロークを設定する必要がなく、そのためのオーバーストローク吸収手段を格別に講じる必要がなくなる利点がある。しかも、第２付勢手段としての付勢ばね７よりも第１付勢手段としての付勢ばね５の付勢力の方が大きいため、レンズバリア３２の閉状態の維持の確実性は上述の場合と同様に確保される。
【００５８】
なお、以上の説明では、レンズ鏡胴２を、カメラ本体から突出する回転筒２１のみの１段構成としたが、２段以上の多段構成としてもよいことは勿論である。
【００５９】
【発明の効果】
本発明によれば、長期に亘って安定したレンズバリアの開閉動作を行うことができるカメラを提供することができる。
【００６０】
また、バリア開閉手段として採用されたカム機構には、回転筒の内周面にカムリブが突出形成されているため、外部からの光漏れに強く、且つ長期に亘って安定したレンズバリアの開閉動作を行うことができるカメラを提供することができる。
【図面の簡単な説明】
【図１】本発明に係るカメラの主要部の分解斜視図
【図２】レンズバリア部組の分解斜視図
【図３】レンズバリアの閉状態を示す図
【図４】レンズバリアが閉状態の時の回動リングの状態を示す図
【図５】レンズバリアの開状態を示す図
【図６】レンズバリアが開状態の時の回動リングの状態を示す図
【図７】本発明に係るカメラの他の実施形態を示し、レンズバリアの閉状態を示す図
【図８】本発明に係るカメラの他の実施形態を示し、レンズバリアの開状態を示す図
【図９】従来のバリア開閉機構を示す正面図
【図１０】（ａ）（ｂ）は従来のレンズ鏡胴の縦断面図
【図１１】図１０に示す従来技術のカム機構を示す説明図
【符号の説明】
１：固定筒
２：レンズ鏡胴
２１：回転筒
２２：直進筒
２１３：カムリブ
３：バリア部組
３２：レンズバリア
３４：連結部材
４：回動リング
５：付勢ばね（第１付勢手段）
６：カム部材
７：付勢ばね（第２付勢手段）
【図１】
2004109257.tif 000003
【図２】
2004109257.tif 000004
【図３】
2004109257.tif 000005
【図４】
2004109257.tif 000006
【図５】
2004109257.tif 000007
【図６】
2004109257.tif 000008
【図７】
2004109257.tif 000009
【図８】
2004109257.tif 000010
【図９】
2004109257.tif 000011
【図１０】
2004109257.tif 000012
【図１１】
2004109257.tif 000013